(57)【特許請求の範囲】
【請求項１】
平面形状が略長方形状の底部と該底部の相対する長辺にヒンジ連結された長側壁と前記底部の相対する短辺にヒンジ連結された短側壁とからなる箱型に組み立てられた１個の空の大型折り畳みコンテナーの上に、平面形状が略長方形状の底部と該底部の相対する長辺にヒンジ連結された長側壁と前記底部の相対する短辺にヒンジ連結された短側壁とからなる箱型に組み立てられた複数の空の小型折り畳みコンテナーが積み重ねられ、或いは、前記箱型に組み立てられた複数の空の小型折り畳みコンテナーの上に、前記１個の箱型に組み立てられた空の大型折り畳みコンテナーが積み重ねられた折り畳みコンテナーの積み重ね構造において、前記小型折り畳みコンテナーの底部の長辺の横幅が、前記大型折り畳みコンテナーの底部の短辺の横幅と略同じ幅に形成されているとともに、前記小型折り畳みコンテナーの底部の短辺の横幅が、前記大型折り畳みコンテナーの底部の長辺の横幅の略整数分の１に形成されており、且つ、前記箱型に組み立てられた空の小型折り畳みコンテナーの最初に底部に重なるように倒される側壁と前記箱型に組み立てられた空の大型折り畳みコンテナーの最初に底部に重なるように倒される側壁とが、共に、同じ側に位置するように積み重ねられていることを特徴とする折り畳みコンテナーの積み重ね構造。
【発明の詳細な説明】
【０００１】
【発明の属する技術分野】
本発明は、箱型に組み立てられた状態から、一方の相対する側壁を、底部に重なるように倒し、次いで、もう一方の相対する側壁を、底部に重なるように倒された側壁に、重なるように倒すことにより折り畳むことが可能な折り畳みコンテナーを積み重ねた折り畳みコンテナーの積み重ね構造に関するものである。
【０００２】
【従来の技術】
図８に示されているような、平面形状が略長方形状の底部１’と、底部１’の相対する長辺１ａ’にヒンジ連結された長側壁２’と、底部１’の相対する短辺１ｂ’にヒンジ連結された短側壁３’とからなり、底部１’と長側壁２’とのヒンジ連結位置が、底部１’と短側壁３’とのヒンジ連結位置より、低く構成されている折り畳みコンテナーＣ１’が知られている。そして、図８に示されている箱型に組み立てられた状態から、先ず最初に、図９に示されているように、底部１’に重なるように、相対する長側壁２’を倒し、次いで、底部１’に重なるように倒された長側壁２’の上に、相対する短側壁３’を、重なるように倒すことにより、図１０に示されているように、折り畳みコンテナーＣ１’を折り畳むことができるように構成されている。
【０００３】
ところで、従来より、上述した箱型に組み立てられた折り畳みコンテナーＣ１’の上に、折り畳みコンテナーＣ１’より小型の２個の折り畳みコンテナーＣ２を積み重ねることが行われている。以下、便宜的に、上述した折り畳みコンテナーＣ１’を、大型折り畳みコンテナーと称し、大型折り畳みコンテナーＣ１’の上に積み重ねられる小型の折り畳みコンテナーＣ２を、小型折り畳みコンテナーと称する。
【０００４】
小型折り畳みコンテナーＣ２も、底部１０と、底部１０の相対する長辺１０ａにヒンジ連結された長側壁２０と、底部１０の相対する短辺１０ｂにヒンジ連結された短側壁３０とからなり、底部１０と長側壁２０とのヒンジ連結位置が、底部１０と短側壁３０とのヒンジ連結位置より、低く構成されている。そして、上述した大型折り畳みコンテナーＣ１’と同様に、箱型に組み立てられた状態から、先ず最初に、底部１０に重なるように、相対する長側壁２０を倒し、次いで、底部１０に重なるように倒された長側壁２０の上に、相対する短側壁３０を、重なるように倒すことにより、小型折り畳みコンテナーＣ２を折り畳むことができるように構成されている。
【０００５】
小型折り畳みコンテナーＣ２の底部１０の長辺１０ａの横幅は、大型折り畳みコンテナーＣ１’の底部１’の短辺１ｂ’の横幅と略同じ幅に形成されており、また、小型折り畳みコンテナーＣ２の底部１０の短辺１０ｂの横幅は、大型折り畳みコンテナーＣ１’の底部１’の長辺１ａ’の横幅の略半分の幅に形成されている。従って、図１１に示されているように、下に位置する箱型に組み立てられた大型折り畳みコンテナーＣ１’の短側壁３’に沿って、上に位置する箱型に組み立てられた小型折り畳みコンテナーＣ２の長側壁２０を配置し、また、下に位置する箱型に組み立てられた大型折り畳みコンテナーＣ１’の長側壁２’に沿って、上に位置する箱型に組み立てられた小型折り畳みコンテナーＣ２の短側壁３０を配置することにより、箱型に組み立てられた大型折り畳みコンテナーＣ１’の上に、２個の箱型に組み立てられた小型折り畳みコンテナーＣ２を積み重ねることができるように構成されている。
【０００６】
図１１に示されているように、箱型に組み立てられた空の大型折り畳みコンテナーＣ１’の上に、２個の箱型に組み立てられた同じく空の小型折り畳みコンテナーＣ２が積み重ねられた状態のまま、上に位置する箱型に組み立てられた空の小型折り畳みコンテナーＣ２のうち、作業者の手前に位置する小型折り畳みコンテナーＣ２の相対する長側壁２０を、底部１０に重なるように倒し、次いで、底部１０に重なるように倒された長側壁２０の上に、相対する短側壁３０を重なるように倒すことにより、１個の小型折り畳みコンテナーＣ２を折り畳み、その後、もう１個の箱型に組み立てられた空の小型折り畳みコンテナーＣ２を、同様にして折り畳む。次いで、作業者は、箱型に組み立てられた空の大型折り畳みコンテナーＣ１’の長側壁２’側に移動して、先ず最初に、相対する長側壁２’を、底部１’に重なるように倒し、次いで、底部１’に重なるように倒された長側壁２’の上に、相対する短側壁３’を重なるように倒すことにより、折り畳みコンテナーＣ１’を折り畳む。このようにして、作業者は、小型折り畳みコンテナーＣ２と大型折り畳みコンテナーＣ１’の折り畳み折り作業を行う。
【０００７】
【発明が解決しようとする課題】
上述したように、箱型に組み立てられた空の大型折り畳みコンテナーＣ１’の上に、２個の箱型に組み立てられた空の小型折り畳みコンテナーＣ２が積み重ねられた状態のまま、上に位置する２個の箱型に組み立てられた空の小型折り畳みコンテナーＣ２を折り畳み、次いで、箱型に組み立てられた空の大型折り畳みコンテナーＣ１’を折り畳む、折り畳み作業を行うことになるが、この折り畳み作業の際には、作業者は、先ず最初に、最初に底部１０に重なるように倒す小型折り畳みコンテナーＣ２の長側壁２０側に立って、上述したように、２個の小型折り畳みコンテナーＣ２の折り畳み作業を行い、次いで、作業者は、最初に底部１’に重なるように倒す大型折り畳みコンテナーＣ１’の長側壁２’側に移動し、上述したように、大型折り畳みコンテナーＣ１’の折り畳み折り作業を行う。このように、箱型に組み立てられた空の大型折り畳みコンテナーＣ１’の上に、２個の箱型に組み立てられた空の小型折り畳みコンテナーＣ２が積み重ねられた状態の折り畳みコンテナーの積み重ね構造において、折り畳みコンテナーを折り畳むには、作業者は、箱型に組み立てられた空の小型折り畳みコンテナーＣ２の長側壁２０側に位置した状態で、上に位置する２個の小型折り畳みコンテナーＣ２の折り畳み作業を行った後、箱型に組み立てられた空の大型折り畳みコンテナーＣ１’を折り畳むために、大型折り畳みコンテナーＣ１’の長側壁２’側に移動しなければならず、従って、折り畳みコンテナーの折り畳み作業の作業性が悪いという問題があった。
【０００８】
本発明の目的は、上述した従来の折り畳みコンテナーの積み重ね構造が有する課題を解決することにある。
【０００９】
【課題を解決するための手段】
本発明は、上述した目的を達成するために、平面形状が略長方形状の底部と該底部の相対する長辺にヒンジ連結された長側壁と前記底部の相対する短辺にヒンジ連結された短側壁とからなる箱型に組み立てられた１個の空の大型折り畳みコンテナーの上に、平面形状が略長方形状の底部と該底部の相対する長辺にヒンジ連結された長側壁と前記底部の相対する短辺にヒンジ連結された短側壁とからなる箱型に組み立てられた複数の空の小型折り畳みコンテナーが積み重ねられ、或いは、前記箱型に組み立てられた複数の空の小型折り畳みコンテナーの上に、前記１個の箱型に組み立てられた空の大型折り畳みコンテナーが積み重ねられた折り畳みコンテナーの積み重ね構造において、前記小型折り畳みコンテナーの底部の長辺の横幅が、前記大型折り畳みコンテナーの底部の短辺の横幅と略同じ幅に形成されているとともに、前記小型折り畳みコンテナーの底部の短辺の横幅が、前記大型折り畳みコンテナーの底部の長辺の横幅の略整数分の１に形成されており、且つ、前記箱型に組み立てられた空の小型折り畳みコンテナーの最初に底部に重なるように倒される側壁と前記箱型に組み立てられた空の大型折り畳みコンテナーの最初に底部に重なるように倒される側壁とが、共に、同じ側に位置するように、前記箱型に組み立てられた空の小型折り畳みコンテナー及び前記箱型に組み立てられた空の大型折り畳みコンテナーを積み重ねたものである。
【００１０】
【実施例】
以下に、本発明の実施例について説明するが、本発明の趣旨を越えない限り何ら、本実施例に限定されるものではない。
【００１１】
Ｃ１は、上述した大型折り畳みコンテナーＣ１’と同様の本発明の折り畳みコンテナーの積み重ね構造に使用される大型折り畳みコンテナーであり、大型折り畳みコンテナーＣ１は、平面形状が略長方形状の底部１と、底部１の相対する長辺１ａにヒンジ連結された長側壁２と、底部１の相対する短辺１ｂにヒンジ連結された短側壁３とからなり、底部１と長側壁２とのヒンジ連結位置は、底部１と短側壁３とのヒンジ連結位置より、高く構成されている。そして、図１に示されている箱型に組み立てられた状態から、先ず最初に、図２に示されているように、底部１に重なるように、相対する短側壁３を倒し、次いで、底部１に重なるように倒された短側壁３の上に、相対する長側壁２を、重なるように倒すことにより、図３に示されているように、大型折り畳みコンテナーＣ１を折り畳むことができるように構成されている。
【００１２】
上述した大型折り畳みコンテナーＣ１の上に積み重ねられる小型折り畳みコンテナーは、上述した従来の小型折り畳みコンテナーＣ２と同じ構成を有しているので、同じ符号を用いる。即ち、小型折り畳みコンテナーＣ２は、底部１０と、底部１０の相対する長辺１０ａにヒンジ連結された長側壁２０と、底部１０の相対する短辺１０ｂにヒンジ連結された短側壁３０とからなり、底部１０と長側壁２０とのヒンジ連結位置が、底部１０と短側壁３０とのヒンジ連結位置より、低く構成されている。そして、図４に示されている箱型に組み立てられた状態から、先ず最初に、図５に示されているように、相対する長側壁２０を、底部１０に重なるように倒し、次いで、底部１０に重なるように倒された長側壁２０の上に、相対する短側壁３０を、重なるように倒すことにより、図６に示されているように、小型折り畳みコンテナーＣ２を折り畳むことができるように構成されている。
【００１３】
小型折り畳みコンテナーＣ２の底部１０の長辺１０ａの横幅ｗ１は、大型折り畳みコンテナーＣ１の底部１の短辺１ｂの横幅ｗ２と略同じ幅に形成されており、また、小型折り畳みコンテナーＣ２の底部１０の短辺２０ａの横幅ｗ３は、大型折り畳みコンテナーＣ１の底部１の長辺１ａの横幅ｗ４の略半分の幅に形成されている。従って、図７に示されているように、下に位置する箱型に組み立てられた大型折り畳みコンテナーＣ１の短側壁３に沿って、上に位置する箱型に組み立てられた小型折り畳みコンテナーＣ２の長側壁２０を配置し、また、下に位置する箱型に組み立てられた大型折り畳みコンテナーＣ１の長側壁２に沿って、上に位置する箱型に組み立てられた小型折り畳みコンテナーＣ２の短側壁３０を配置することにより、１個の箱型に組み立てられた大型折り畳みコンテナーＣ１の上に、２個の箱型に組み立てられた小型折り畳みコンテナーＣ２を積み重ねることができるように構成されている。
【００１４】
図７に示されているように、１個の箱型に組み立てられた空の大型折り畳みコンテナーＣ１の上に、２個の箱型に組み立てられた同じく空の小型折り畳みコンテナーＣ２が積み重ねられた状態のまま、作業者は、一方の空の小型折り畳みコンテナーＣ２の長側壁２０側に立って、上に位置する箱型に組み立てられた空の小型折り畳みコンテナーＣ２のうち、作業者の手前に位置する小型折り畳みコンテナーＣ２の相対する長側壁２０を、底部１０に重なるように倒し、次いで、底部１０に重なるように倒された長側壁２０の上に、相対する短側壁３０を重なるように倒すことにより、１個の小型折り畳みコンテナーＣ２を折り畳み、その後、もう１個の箱型に組み立てられた空の小型折り畳みコンテナーＣ２を、同様にして折り畳む。次いで、作業者は、従来の折り畳みコンテナーの積み重ね構造の場合のように、大型折り畳みコンテナーＣ１’の長側壁２’側に移動することなく、そのままの位置で、箱型に組み立てられた空の大型折り畳みコンテナーＣ１の相対する短側壁３を、底部１に重なるように倒し、次いで、底部１に重なるように倒された短側壁３の上に、相対する長側壁２を重なるように倒すことにより、折り畳みコンテナーＣ１を折り畳む。このようにして、作業者は、箱型に組み立てられた空の小型折り畳みコンテナーＣ２の折り畳み作業位置と、箱型に組み立てられた空の大型折り畳みコンテナーＣ１の折り畳み折り作業位置とを変えることなく、小型折り畳みコンテナーＣ２と大型折り畳みコンテナーＣ１の折り畳み折り作業を行うことができるので、折り畳みコンテナーの折り畳み作業の作業性が向上する。
【００１５】
なお、上述した実施例においては、１個の箱型に組み立てられた空の大型折り畳みコンテナーＣ１の上に、一方の長側壁２０が互いに接近或いは接触するように配置された２個の箱型に組み立てられた空の小型折り畳みコンテナーＣ２を積み重ねた例を用いて、本発明の折り畳みコンテナーの積み重ね構造を説明したが、一方の長側壁２０が互いに接近或いは接触するように配置された２個の箱型に組み立てられた空の小型折り畳みコンテナーＣ２の上に、１個の箱型に組み立てられた空の大型折り畳みコンテナーＣ１を積み重ねることもできる。勿論、上に積み重ねられる箱型に組み立てられた空の小型折り畳みコンテナーＣ２は、１個の場合でもよい。
【００１６】
小型折り畳みコンテナーＣ２の底部１０の短辺２０ａの横幅ｗ３を、大型折り畳みコンテナーＣ１の底部１の長辺１ａの横幅ｗ４の略３分の１とし、１個の箱型に組み立てられた空の大型折り畳みコンテナーＣ１の上に、３個の箱型に組み立てられた空の小型折り畳みコンテナーＣ２が積み重ねたり、３個の箱型に組み立てられた空の小型折り畳みコンテナーＣ２の上に、１個の箱型に組み立てられた空の大型折り畳みコンテナーＣ１を積み重ねることもできる。勿論、１個の箱型に組み立てられた空の大型折り畳みコンテナーＣ１の上に、４個以上の箱型に組み立てられた空の小型折り畳みコンテナーＣ２が積み重ねたり、４個以上の箱型に組み立てられた空の小型折り畳みコンテナーＣ２の上に、１個の箱型に組み立てられた空の大型折り畳みコンテナーＣ１を積み重ねることもできる。
【００１７】
上述したように、１個の箱型に組み立てられた空の大型折り畳みコンテナーＣ１の上に、複数の箱型に組み立てられた空の小型折り畳みコンテナーＣ２を積み重ねたり、或いは、複数の箱型に組み立てられた空の小型折り畳みコンテナーＣ２の上に、１個の箱型に組み立てられた空の大型折り畳みコンテナーＣ１を積み重ねるようにした折り畳みコンテナーの積み重ね構造において、積み重ねられた状態のまま、上記の小型折り畳みコンテナーＣ２及び大型折り畳みコンテナーＣ１を折り畳む際に、上記の小型折り畳みコンテナーＣ２と大型折り畳みコンテナーＣ１の最初に底部に重なるように倒される側壁が、同じ側に位置するように積み重ねるように構成することにより、作業者が、箱型に組み立てられた空の小型折り畳みコンテナーＣ２の折り畳み作業位置と、箱型に組み立てられた空の大型折り畳みコンテナーＣ１の折り畳み折り作業位置とを変えることなく、小型折り畳みコンテナーＣ２と大型折り畳みコンテナーＣ１の折り畳み折り作業を行うことができるので、折り畳みコンテナーの折り畳み作業の作業性が向上する。
【００１８】
【発明の効果】
本発明は、以上説明した構成を有しているので、以下に記載する効果を奏するものである。
【００１９】
作業者が、箱型に組み立てられた空の小型折り畳みコンテナーの折り畳み作業位置と、箱型に組み立てられた空の大型折り畳みコンテナーの折り畳み折り作業位置とを変えることなく、小型折り畳みコンテナーと大型折り畳みコンテナーの折り畳み折り作業を行うことができるので、折り畳みコンテナーの折り畳み作業の作業性が向上する。
【図面の簡単な説明】
【図１】図１は本発明の折り畳みコンテナーの積み重ね構造に使用される大型折り畳みコンテナーが箱型に組み立てられた状態の斜視図である。
【図２】図２は図１に示されている大型折り畳みコンテナーの折り畳み途中の斜視図である。
【図３】図３は図１に示されている大型折り畳みコンテナーが折り畳まれた状態の斜視図である。
【図４】図４は本発明の折り畳みコンテナーの積み重ね構造に使用される小型折り畳みコンテナーが箱型に組み立てられた状態の斜視図である。
【図５】図５は図４に示されている小型折り畳みコンテナーの折り畳み途中の斜視図である。
【図６】図６は図４に示されている小型折り畳みコンテナーが折り畳まれた状態の斜視図である。
【図７】図７は一例としての本発明の折り畳みコンテナーの積み重ね構造の斜視図である。
【図８】図８は従来の折り畳みコンテナーの積み重ね構造に使用される大型折り畳みコンテナーが箱型に組み立てられた状態の斜視図である。
【図９】図９は図８に示されている大型折り畳みコンテナーの折り畳み途中の斜視図である。
【図１０】図１０は図８に示されている大型折り畳みコンテナーが折り畳まれた状態の斜視図である。
【図１１】図１１は従来の折り畳みコンテナーの積み重ね構造の斜視図である。
【符号の説明】
Ｃ１・・・・・・・・・・・・大型折り畳みコンテナー
Ｃ２・・・・・・・・・・・・小型折り畳みコンテナー
１、１０・・・・・・・・・・底部
２、２０・・・・・・・・・・長側壁
３、３０・・・・・・・・・・短側壁
【図１】
0003714602.tif 000002
【図２】
0003714602.tif 000003
【図３】
0003714602.tif 000004
【図４】
0003714602.tif 000005
【図５】
0003714602.tif 000006
【図６】
0003714602.tif 000007
【図７】
0003714602.tif 000008
【図８】
0003714602.tif 000009
【図９】
0003714602.tif 000010
【図１０】
0003714602.tif 000011
【図１１】
0003714602.tif 000012